(57)【要約】【課題】筐体内において光ファイバが風の影響を受けることなく配線された機器を提供する。【解決手段】本発明の一形態の機器１は、冷却ファン７からの風が流れている筐体２内においてポート２２０から光モジュール３までを光ファイバ６によって光学的に接続しており、光ファイバ６を支持し配線する光ファイバ配線部材８には、光ファイバ６に前記風が当たることを防ぐ遮断壁８３が設けられている。【選択図】図１
2015064448.tif 000002
【特許請求の範囲】
【請求項１】
光ファイバ接続用のポートが設けられた筐体と、
前記筐体内に配設される光モジュールを搭載した基板と、
前記ポートと前記光モジュールとの間を光学的に結ぶ光ファイバと、
前記筐体内に風を導入する導入口と、
前記筐体内において前記光ファイバを支持する支持部材と、
が設けられており、
前記支持部材は、前記風のうち、前記光ファイバに向かって流れる風を、当該光ファイバの風上側において遮る遮断壁を有していることを特徴とする、筐体内に光ファイバを具備する機器。
【請求項２】
前記ポートは、前記筐体の側壁に設けられており、
前記支持部材は、前記ポートの近傍において光ファイバを支持する支持面であって、前記筐体の底板からの高さが前記ポートと等しい当該支持面を有していることを特徴とする請求項１に記載の、筐体内に光ファイバを具備する機器。
【請求項３】
前記支持部材は、
前記光モジュールよりも高い位置において前記光ファイバを支持する第一の支持部と、
前記第一の支持部と前記光モジュールとの間に設けられており、曲面を構成している第二の支持部と、
を有していることを特徴とする請求項２に記載の、筐体内に光ファイバを具備する機器。
【請求項４】
前記支持部材は、筒状構造を有しており、筒内に配線された前記光ファイバを支持し、前記遮断壁が前記筒状構造の一部によって構成されていることを特徴とする、請求項１から３までの何れか１項に記載の、筐体内に光ファイバを具備する機器。
【請求項５】
前記第一の支持部における底面および前記光モジュールの側には、前記導入口から導入される前記風を所望の方向に整流する整流板が設けられていることを特徴とする請求項３に記載の、筐体内に光ファイバを具備する機器。
【請求項６】
前記第二の支持部は、前記整流板であることを特徴とする請求項５に記載の、筐体内に光ファイバを具備する機器。
【請求項７】
前記基板には、前記風による放熱を必要とする素子が搭載しており、
前記支持部材は、当該支持部材と前記基板との間に前記素子を配設した位置にあり、且つ、当該素子に対向する対向領域が、当該対向領域に隣接している領域よりも前記基板に近づく方向に突出していることを特徴とする請求項１から６までの何れか１項に記載の、筐体内に光ファイバを具備する機器。
【請求項８】
前記支持部材に、前記光ファイバを着脱可能に固定する固定部材が、更に設けられていることを特徴とする請求項１から７までの何れか１項に記載の、筐体内に光ファイバを具備する機器。
【請求項９】
前記導入口には、前記風を送るファンが設けられていることを特徴とする請求項１から８までの何れか１項に記載の、筐体内に光ファイバを具備する機器。
【発明の詳細な説明】
【技術分野】
【０００１】
本発明は、光学部品と当該光学部品に接続する光ファイバとを筐体内に具備した機器に関する。
【背景技術】
【０００２】
従来より、装置内に光ファイバを配線して、装置内に実装された光素子や光回路、光学装置等と光学的に接続する手法が知られている。
【０００３】
特許文献１は、光信号と電気信号をリンクさせて処理を行う光電気複合装置において、電磁遮蔽層を備えたフレキシブルなシート基板に配線保持された光ファイバによって、当該装置内に搭載された光学部品同士を光学的に接続している構成を開示している。特許文献１では、光ファイバは、プラスチックからなるシート材とラミネート材との間に挟まれ、任意の形状に配線保持されている。
【０００４】
ところで、上述のように一つの装置内に複数の光学部品を搭載しているタイプの機器や、光学部品に加えて電気部品も搭載しているタイプの機器では、これらの部品の放熱をおこなう放熱（冷却）機構も併せて搭載している。例えば、光学部品が搭載された筐体内に風を送るタイプの放熱機構が知られており、比較的強い風が筐体内を流れる。
【先行技術文献】
【特許文献】
【０００５】
【特許文献１】特開２００２−２５８０６７号公報（２００２年９月１１日公開）
【発明の概要】
【発明が解決しようとする課題】
【０００６】
複数本の光ファイバを装置内で配線する場合、配線作業中に光ファイバの配線経路を替えることがある。例えば、配線した結果、特定の光ファイバに不都合な張力がかかってしまうことがあり、この場合に特定の光ファイバあるいは他の光ファイバの配線経路を替えることがある。しかしながら、上述の特許文献１ではシート材とラミネート材とに光ファイバが挟まれたシート基板を用いている、配線経路を替える（再配線する）場合には、シート配線板ごと変更しなければならず作業効率が低い。
【０００７】
仮に、再配線を容易にするべく上述の特許文献１のシート配線板のシート材またはラミネート材を外したならば、光ファイバが剥き出しになるため再配線は容易である。しかしながら、光ファイバを装置内で剥き出しの状態で配線した場合、上述のような放熱用の風によって、光ファイバのばたつきあるいは風圧による不都合な変形を生じて光ファイバの特性を劣化させる虞がある。
【０００８】
そこで、本願発明者らは、光ファイバを自由に配線する態様であっても光ファイバの特性を維持することができる配線機構を検討して、本発明を完成するに至った。
【０００９】
すなわち、本発明は、筐体内において光ファイバが風の影響を受けることなく配線された機器を提供することを目的としている。
【課題を解決するための手段】
【００１０】
本発明に係る機器は、前記の課題を解決するために、
光ファイバ接続用のポートが設けられた筐体と、
前記筐体内に配設される光モジュールを搭載した基板と、
前記ポートと前記光モジュールとの間を光学的に結ぶ光ファイバと、
前記筐体内に風を導入する導入口と、
前記筐体内において前記光ファイバを支持する支持部材と、
が設けられており、
前記支持部材は、前記風のうち、前記光ファイバに向かって流れる風を、当該光ファイバの風上側において遮る遮断壁を有していることを特徴としている。
【００１１】
前記構成によれば、光ファイバに向かって流れる風を遮断壁が遮断するため、従来構成のように光ファイバをシート材とラミネート材とによって挟んで支持する必要がない。また、風によるばたつきや、風圧による変形も生じない。
【００１２】
よって、本発明によれば、筐体内において、風の影響を受けることなく、且つ、再配線が容易な状態で光ファイバを配線した機器を提供することができる。
【００１３】
また本発明に係る機器は、前記の構成に加えて、
前記ポートは、前記筐体の側壁に設けられており、
前記支持部材は、前記ポートの近傍において光ファイバを支持する支持面であって、前記筐体の底板からの高さが前記ポートと等しい当該支持面を有していることが好ましい。
【００１４】
前記構成によれば、支持部材の支持面がポート近傍においてポートと同じ高さに設けられているため、筐体内においてポートから延びる光ファイバは、筐体の底板からの高さを大きく変えることなく支持面によって支持される。これにより、光ファイバは不都合に曲がらず、ポートとの接続箇所に不都合な力が及んで接続不良を引き起こすことがない。
【００１５】
また本発明に係る機器は、前記の構成に加えて、
前記支持部材は、
前記光モジュールよりも高い位置において前記光ファイバを支持する第一の支持部と、
前記第一の支持部と前記光モジュールとの間に設けられており、曲面を構成している第二の支持部と、
を有していることが好ましい。
【００１６】
前記構成によれば、第二の支持部が曲面を構成していることから、光ファイバは当該曲面に沿って湾曲して光モジュールまで導かれる。これにより、光ファイバは第一の支持部から光モジュールまでの領域において不都合に折れ曲ることなく支持される。
【００１７】
また本発明に係る機器は、前記の構成に加えて、
前記支持部材は、筒状構造を有しており、筒内に配線された前記光ファイバを支持し、前記遮断壁が前記筒状構造の一部によって構成されていることが好ましい。
【００１８】
前記構成によれば、光ファイバは支持部材の筒内に挿通されることによって支持されることから前記風の影響を受けることなく筐体内において配線される。
【００１９】
また本発明に係る機器は、前記の構成に加えて、
前記第一の支持部における前記光モジュールの側には、前記導入口から導入される前記風を整流する整流板が設けられていることが好ましい。
【００２０】
前記構成によれば、例えば筐体内の放熱したい部材に向けて前記風を効果的に送ることができる。
【００２１】
また本発明に係る機器は、前記の構成に加えて、
前記第二の支持部は、前記整流板としての機能を有してもよい。
【００２２】
また本発明に係る機器は、前記の構成に加えて、
前記基板には、前記風による放熱を必要とする素子が搭載しており、
前記支持部材は、当該支持部材と前記基板との間に前記素子を配設した位置にあり、且つ、当該素子に対向する対向領域が、当該対向領域に隣接している領域よりも前記基板に近づく方向に突出していることが好ましい。
【００２３】
前記構成によれば、風による放熱を必要とする装置の上方では、支持部材が素子に近づいており、これにより風の流路が狭く構成されている。
【００２４】
そのため、当該素子の上方において風の流速を高めることができ、ベンチュリ効果によって当該素子の効率的な放熱を実現することができる。
【００２５】
また本発明に係る機器は、前記の構成に加えて、
前記支持部材に、前記光ファイバを着脱可能に固定する固定部材が、更に設けられていることが好ましい。
【００２６】
前記構成によれば、固定部材によって、支持部材から光ファイバが外れるという事態を回避することができる。
【００２７】
また本発明に係る機器は、前記の構成に加えて、
前記導入口には、前記風を送るファンが設けられていてもよい。
【発明の効果】
【００２８】
本発明によれば、筐体内において光ファイバが風の影響を受けることなく配線された機器を提供することができる。
【図面の簡単な説明】
【００２９】
【図１】本発明の実施形態１に係る、光ファイバを具備する機器の構成を示す斜視面である。
【図２】図１に示す切断線Ａ−Ａ´における機器の矢視断面図である。
【図３】図１に示す切断線Ｂ−Ｂ´における機器装置の矢視断面図である。
【図４】本発明の実施形態１の変形例１に係る光ファイバ配線部材を搭載した機器の構成を示す斜視面である。
【図５】本発明の実施形態１の変形例２に係る光ファイバ配線部材を搭載した機器の構成を示す斜視面である。
【図６】本発明の実施形態２に係る光ファイバ配線部材を搭載した機器の構成を示す上面面である。
【図７】図６に示す切断線Ｃ−Ｃ´における機器の矢視断面図である。
【図８】図６に示す機器に具備される光ファイバ配線部材の部分斜視図である。
【図９】図６に示す機器に具備される光ファイバ配線部材の一部分の構成を示す上面図である。
【図１０】本発明の実施形態２の変形例として示す機器の断面図である。
【発明を実施するための形態】
【００３０】
〔実施形態１〕
本発明に係る、筐体内に光ファイバを具備する機器の一実施形態について、図１から図３に基づいて説明する。本実施形態１では、筐体内に、光ファイバを用いて光信号を送受信する光モジュールを搭載するとともに、電気信号を処理する電子部品も搭載されている機器を例に挙げるが、電子部品は必須構成ではない。
【００３１】
図１は、本実施形態１における機器の上面斜視図である。本実施形態１における機器１は、筐体２と、光モジュール３および電子部品４が搭載された基板５と、光ファイバ６と、冷却ファン７と、光ファイバ配線部材８（支持部材）とを具備している。本実施形態１における機器１は、スーパーコンピュータのラックに収容されるノードとして構成することができる。以下に、各構成について詳述する。
【００３２】
＜筐体２＞
筐体２は、機器１の外装体である。筐体２は、ボトム部２１（底板）と、ボトム部２１の周囲を取り囲むように配設されたフロント部２２（側壁）およびサイド部２３，２４，２５と、ボトム部２１に対向するカバー部（不図示）とを有している。
【００３３】
ボトム部２１は、その上面が、筐体２内部の底面を構成しており、当該底面の一部分に基板５を実装している。
【００３４】
フロント部２２は、対向配置したサイド部２３，２５のそれぞれに固定されており、上述のノードのフロントパネルとして構成される。フロント部２２には、複数個のポート２２０が設けられている。ポート２２０は、筐体２内に設けられる光ファイバ６と、機器１外部に配線される光ファイバ（不図示）とを接続する光ファイバ接続用のポートである。また、フロント部２２には、筐体２の内部空間と筐体２外部とに連通する貫通孔２２ａが設けられており、後述する冷却ファン７の風が筐体２の内部空間を通過して、当該貫通孔２２ａから外部に排出される。
【００３５】
筐体２は、筐体２内に搭載されている電子部品等から発生する電磁波が外部に漏れないよう、また、電子部品に影響を及ぼす電磁波が筐体２の外部から侵入しないよう、電磁波を遮断する材質によって構成されてることが好ましい。
【００３６】
＜光モジュール３および電子部品４が搭載された基板５＞
基板５は、筐体２によって形成される内部空間のボトム部２１の上面に実装されている。内部空間側に面している基板５の上面には、光モジュール３および電子部品４が搭載されている。
【００３７】
光モジュール３は、光ファイバ６によって筐体２のポート２２０と光学的に接続しており、光ファイバ６を介して、ポート２２０との間で光信号を送受信をおこなうモジュールである。光モジュール３は、例えば、光素子、光回路または光学装置といった光信号に基づいて処理（動作）をおこなう。
【００３８】
電子部品４は、電気信号を処理する構成であり、例えばＣＰＵなどの装置である。なお、本実施形態１では、図１に示すように基板５上に大小様々な複数の電子部品４が搭載されているが、その個数、種類については特に制限はない。また、電子部品４には、例えばその上面や側面に冷却フィン（不図示）が設けられていてもよい。電子部品４は、動作の過程で熱を発し、内部および外装が熱を帯びることがあり、温度上昇による誤動作や故障が起こるため、放熱機構が具備されていることがある。放熱機構は様々な種類があり熱伝導性を利用したものや、冷却フィンなどが知られている。また、電子部品４には電気信号を送受信する手段が設けられているが、これは本発明の本質ではないため、説明を省略する。光モジュール３にも同様の放熱機構が具備されていてもよい。
【００３９】
光モジュール３および電子部品４は基板５上にて互いに離間して配設されている。これは、後述する冷却ファン７から送られる風をその離間部分に通して、光モジュール３および電子部品４を冷却しつつ、筐体２内全体に風を通すためである。
【００４０】
なお、本実施形態１では、一つの基板５に光モジュール３および電子部品４が共に搭載されているが、光モジュール３を搭載した光基板、および、電子部品４を搭載した電子基板とに分かれていてもよい。
【００４１】
＜光ファイバ６＞
光ファイバ６は、コアと、当該コアを取り囲むクラッドと、当該クラッドを取り囲む外装体を有している。ここで、クラッドは、一層であってもよいし、多層であってもよい（すなわち、光ファイバ６は、いわゆるシングルクラッドファイバであってもよいし、マルチクラッドファイバであってもよい）。
【００４２】
光ファイバ６のコアおよびクラッドの材質としては、例えば石英系ガラス（シリカガラス）等のガラスが好ましく、フッ素樹脂等のプラスチックも使用可能である。外装の材質としては、ウレタンアクリレート、エポキシアクリレート、ブタジエンアクリレート等の紫外線（ＵＶ）硬化樹脂、アクリル樹脂、ウレタン樹脂、シリコーン樹脂、ポリアミド樹脂、ポリイミド樹脂等の樹脂が好ましい。光ファイバ６の外径は、例えば外装の外径として０．２５ｍｍ、０．４ｍｍ、０．５ｍｍ、０．９ｍｍ等が例示される。
【００４３】
光ファイバ６は、筐体２の内部空間において後述する光ファイバ配線部材８に支持されて配線され、その一端を光モジュール３に接続し、他端を筐体２のフロント部２２のポート２２０に当該内部空間側から接続している。
【００４４】
本実施形態１では、図１に示すように、筐体２のフロント部２２には複数個のポート２２０が設けられており、その各々に光ファイバ６が接続されている。なお、図１に図示したポート２２０および光ファイバ６の設置数は一例であり、本発明はこれに限定されるものではなく、また、全てのポート２２０に光ファイバ６が接続されている必要はない。
【００４５】
＜冷却ファン７＞
冷却ファン７は、筐体２におけるフロント部２２に対向するサイド部２４に設けられており、導入口７０からフロント部２２に向かって風を送る。
【００４６】
冷却ファン７の風は、筐体２内において光モジュール３と電子部品４との間を縫うように進み、その間に光モジュール３および電子部品４の熱を奪って、フロント部２２の貫通孔２２ａから機器１外部に排出される。これにより、光モジュール３および電子部品４、並びに筐体２の過度の温度上昇を防ぐことができる。
【００４７】
冷却ファン７は、図１では五つ設けられているが、その数に制限はない。また、筐体２の内部空間における冷却ファン７の配設位置も、図１の位置に限定されるものではない。
【００４８】
また、本発明は、冷却ファンを必ずしも筐体内に搭載する必要はなく、例えば、筐体には風を外部から内部空間に導入する導入口だけが設けられていてもよい。その場合には、外部に冷却ファンを配置して、その風を導入口から筐体の内部空間に送り込むように構成すればよい。あるいは、自然風であってもよく、自然風を導入口から筐体の内部空間に送る機構を採用してもよい。
【００４９】
冷却ファン７から筐体２の内部空間に送られる風の速度には、特に制限はない。しかしながら、上述したように放熱を効果的におこなうためには、比較的強い（風速が高い）風を送り込むことが好ましい。
【００５０】
そのため、筐体２の内部空間で仮に光ファイバ６を剥き出しの状態で配線すると、冷却ファン７の風によって光ファイバ６がばたついて、光ファイバ６自体であったり、ばたついた光ファイバ６が接触した先の部材であったりに変形や性能の不具合が生じる虞がある。そこで、本実施形態１では、光ファイバ配線部材８を具備することにより、これらの問題を回避することができる。以下、光ファイバ配線部材８について説明する。
【００５１】
＜光ファイバ配線部材８＞
光ファイバ配線部材８は、ポート２２０と光モジュール３とを結ぶ経路のうちの少なくとも一部に在って、光ファイバ６を支持して配線する部材である。
【００５２】
そして、特徴としては、光ファイバ配線部材８は、筐体２の内部空間において冷却ファン７の風が流れない空間を形成し、その空間に光ファイバ６を配線する点にある。換言すれば、光ファイバ配線部材８は、筐体２の内部空間を、冷却ファン７の風が流れない空間と、光モジュール３および電子部品４が在り冷却ファン７の風が流れる空間とに分離する空間分離手段として機能し、且つ、冷却ファン７の風が流れない空間に光ファイバを配線するべく光ファイバを支持する光ファイバ支持手段として機能する。つまり、冷却ファン７の風が流れない空間は、配線空間である。
【００５３】
具体的には、光ファイバ配線部材８は、第一の支持部８１と、第二の支持部８２と、遮断壁８３とを有している。
【００５４】
第一の支持部８１は、筐体２の底面に沿って平行方向に光ファイバ６を配線してこれを支持する。第一の支持部８１は、光モジュール３よりも高い位置、すなわち光モジュール３よりもカバー部に近い位置に在る。
【００５５】
また、第一の支持部８１は、概ね同じ方向に配線される光ファイバ６同士を集束して纏めて配線している。具体的には、第一の支持部８１は、図１に示すように複数の光ファイバ６を集束させる集束領域８１ａを有している。集束領域８１ａは、ポート２２０近傍においてガイド部８１ｂにガイドされて互いに離間して配されている複数の光ファイバ６がポート２２０から離れる方向に沿って配線される領域においてこれら光ファイバ６を一つに纏めている。
【００５６】
このような集束領域８１ａを具備することにより、筐体２内において複数の光ファイバ６が複雑に交わって配線されることを防ぐことができ、配線変更にもスムーズに対処することができる。本実施形態１では、集束領域８１ａは、図１に示すように、電子部品４と、筐体２のサイド部２５との間の狭間隙に設けられているが、本発明はこれに限定されるものではなく、電子部品４と別の電子部品４との間の狭間隙に設けられていてもよい。
【００５７】
第一の支持部８１は、集束領域８１ａにおいて集束させた複数の光ファイバ６を、集束領域８１ａから光モジュール３までの配線経路の間において、集束を解消して各光ファイバ６がポート２２０群の配列方向に沿って平行に配線させている。本実施形態１では、サイド部２５付近に集束領域８１ａが設けられており、光ファイバ６群は集束領域８１ａから二手に分かれて、ポート２２０群の配列方向に沿って平行に、一方のサイド部２３と、他方のサイド部２５とへ、それぞれ導かれる。なお、どの光ファイバ６が一方のサイド部２３へ導かれ、どのファイバが他方のサイド部２５へ導かれるかは、接続する光モジュール３の配設位置や、配線の関係で適宜決定すればよい。
【００５８】
図２は、図１に示す切断線Ａ−Ａ´における機器１の矢視断面図であり、上述のポート２２０群の配列方向に沿って平行になって配線されている光ファイバ６を支持している領域における断面図である。図２に示すように、第一の支持部８１のうち、上述のポート２２０群の配列方向に沿って平行になって配線されている光ファイバ６を支持している領域が、光モジュール３と重畳している位置に在る。
【００５９】
ここで、図２に基づいて、第一の支持部８１の配設位置について詳述する。
【００６０】
第一の支持部８１は、図２に示すように、筐体２の底面（基板５の上面）に平行に延在している支持面を有している。この支持面は、筐体２のカバー部２６に対向しており、また、光ファイバ６に対向している。支持面は、少なくとも一部において光ファイバ６と接触していてよい。
【００６１】
ここで、筐体２の底面（基板５の上面）に対して垂直方向であって且つ当該底面からカバー部２６に向かう方向に沿った当該底面からの離間距離として規定される当該底面からの高さに関して、第一の支持部８１は、ポート２２０とほぼ同じ高さに前記支持面を有している。具体的には、ポート２２０は、フロント部２２における、当該底面からカバー部２６までの高さの半分の高さの位置に配設されている。そして、第一の支持部８１の支持面は、ポート２２０に接続されて水平方向に延伸する光ファイバ６の外面における底面側の部分に接触して支持できるように、ポート２２０との高さを合わせている。
【００６２】
これにより、ポート２２０から水平方向に延伸する光ファイバ６が、上下方向に過度に屈曲しないように、水平状態を保ったままで支持される。また、光ファイバ６が過度に屈曲することに伴って想定されるポート２２０との接続不良を回避することができる。
【００６３】
なお、上述した第一の支持部８１の支持面、およびポート２２０の高さについて、高さが等しいとは、完全に等しい高さでなくとも、上述した効果を奏する範囲で両者の間に高さに差がある態様も含む。
【００６４】
第二の支持部８２は、筐体２の底面に対して垂直方向に光ファイバ６を配線して支持する。第二の支持部８２は、図２に示すように、第一の支持部８１と光モジュール３との間の光ファイバ配線経路に設けられており、第一の支持部８１と光モジュール３との高低差を解消するために第一の支持部８１の支持面に連なった曲面を有している。本実施形態１では、図１および図２に示すように、第二の支持部８２は、第一の支持部８１における光モジュール３の上方に在る領域を挟んで、フロント部２２に隣接する二つのサイド部２３，２５に近接している端部にそれぞれ設けられている。各第二の支持部８２の曲面は、それぞれ近接しているサイド部２３，２５に向かって凸となっている。
【００６５】
第二の支持部８２が曲面であることによって、光ファイバ６に不都合な曲げや折れを生じさせずに、第一の支持部８１の位置から光モジュール３の位置まで光ファイバ６を良好に下ろすことができる。曲面のＲは、光ファイバ６の種類によって適宜設定すればよい。
【００６６】
遮断壁８３は、冷却ファン７から送られる風の進行方向に対して垂直に設けられている。具体的には、遮断壁８３は、第二の支持部８２に隣接している部分を除く第一の支持部８１の支持面の端部と、図２に示すカバー部２６との間隙に配設され、遮断壁８３は、筐体２の底面に対して垂直方向に延在する面を有している。また、遮断壁８３は、第一の支持部８１の支持面に隣接している部分を除く第二の支持部８２の曲面の端部と、曲面が対向しているサイド部２３，２５との間の間隙にも配設され、筐体２の底面に対して垂直方向に延在する面を有している。
【００６７】
また、図２に示すように、対向配置しているサイド部２３とサイド部２５との間を延伸している第一の支持部８１の端辺に設けられている遮断壁８３は、第一の支持部８と筐体２のカバー部との間隙を完全に封じていることが好ましい。
【００６８】
図３は、図１に示す切断線Ｂ−Ｂ´における機器１の矢視断面図である。冷却ファン７の風は、フロント部２２に対向するサイド部２４側から、図３に示す矢印の方向に、筐体２の底面に沿ってフロント部２２へと流れる。そのため、図８に示すように、第一の支持部８１の支持面（に支持されている光ファイバ６）よりもサイド部２４側、すなわち風上側に遮断壁８３を配設することにより、当該支持面に支持されている光ファイバ６が風に曝されないという効果を奏する。これは、図２に示した第二の支持部８２の曲面においても同様で、曲面（に支持されている光ファイバ６）よりもサイド部２４側すなわち風上側に遮断壁８３が配設されていることにより、曲面に支持されている光ファイバ６が風に曝されないという効果を奏する。
【００６９】
また、本実施形態１では、図１に示すように、遮断壁８３が、光ファイバ６よりも風下側にも更に設けられている。例えば、第一の支持部８１の集束領域８１ａの端部において風の進行方向に沿って延在した面を有する遮断壁８３が設けられている。これにより、光モジュール３または電子部品４、あるいは筐体２の内側等に当たって風向きが上述した方向から変化した風も遮断壁８３が遮断して光ファイバ６がその風に曝されることを防ぐことができ、より一層効果的である。
【００７０】
本実施形態１では、第一の支持部８１と、第二の支持部８２と、遮断壁８３と、筐体２のフロント部２２と、カバー部２６（図２）とによって、冷却ファン７の風による影響を受けない空間を形成している。すなわち、光ファイバ配線部材８は、筐体２内に、風の影響を受けずに光ファイバ６を自由に配線することができる配線空間を形成することができる。
【００７１】
一方、冷却ファン７の風は、光モジュール３および電子部品４から熱を奪いながら、光ファイバ配線部材８の下側を流れて、フロント部２２の貫通孔２２ａから機器１外部に排出される。
【００７２】
光ファイバ配線部材８は、図示しない固定手段を用いて筐体２の内側に固定されている。なお、筐体２ではなく、光モジュール３あるいは電子部品４に光ファイバ配線部材８を固定してもよい。
【００７３】
なお、本実施形態では、第一の支持部８１の支持面の高さは、ポート２２０近傍から光モジュール３近傍に至るまで等しいが、本発明はこれに限定されるものではなく、第一の支持部８１の支持面のうち、ポート２２０近傍の領域について、その高さがポート２２０の高さと等しければよい。つまり、第一の支持部８１の支持面のうちの他の領域においては、ポート２２０の高さよりも低くてもよく、光モジュール３の上面よりも低くてもよい。なぜなら、本発明の本質は、上述のように、配線の自由度をもたらし、且つ、風の影響を受けない配線空間を筐体内に確保することができる光ファイバ支持手段としての光ファイバ配線部材を、機器が具備することにあるからである。この本質からすれば、光ファイバ配線部材が、ポートから光モジュールまでの光ファイバ配線経路の途中において、光ファイバを光モジュールの上面よりも低い位置において支持する構成であっても配線空間を筐体内にて確保する態様も有り得る。
【００７４】
〔変形例１〕
図４は、本実施形態１の第１変形例を示しており、図１に対応している。
【００７５】
本変形例１と上述の実施形態１との主な相違点は、実施形態１の光ファイバ配線部材８は、全体的な形状が図１に示すように溝状であるのに対して、本変形例１の光ファイバ配線部材８´は、全体的な形状が図４に示すように筒状構造である点で異なる。なお、図４では、光ファイバ６群のうちの一部のみを図示している。
【００７６】
本変形例１のように、光ファイバ配線部材８´が筒状構造を有している場合は、その側部および上部が、実施形態１における遮断壁８３と同等の機能をもつ。光ファイバ６は、光ファイバ配線部材８´の筒内に挿通されて支持される。
【００７７】
なお、図４の構成とした場合であっても、カバー部２６は筐体２の上面部として配設する。
【００７８】
〔変形例２〕
図５は、本実施形態１の第２変形例を示しており、図１に対応している。なお、図５では、光ファイバ６群のうちの一部を図示している。
【００７９】
本変形例２と上述の実施形態１との相違点は、光ファイバ配線部材８の形状と、光ファイバ固定手段の有無にある。
【００８０】
具体的には、実施形態１の光ファイバ配線部材８は、図１に示したように、集束領域８１ａが、対向するサイド部２３とサイド部２５との間に一箇所設けられている。これに対して、本変形例２では、図５に示すように、集束領域８１ａ´は、サイド部２３近傍とサイド部２５近傍とにそれぞれ設けられている。
【００８１】
本変形例２の光ファイバ配線部材８´は、第一の支持部８１´と、第二の支持部８２´と、遮断壁８３とを有している。
【００８２】
第一の支持部８１´は、各ポート２２０に接続されている光ファイバ６をフロント部２２が固定されている一方のサイド部２３あるいは他方のサイド部２５に向けて配線し、更に、サイド部２３，２５に沿ってポート２２０から離れる方向に配線する支持面を有している。光ファイバ６群は、サイド部２３，２５に沿ってポート２２０から離れる方向に配線されることから、この領域に集束領域８１ａ´が設けられている。
【００８３】
第二の支持部８２´は、第一の支持部８１´と光モジュール３との間の配線経路に配置されており、第一の支持部８１´と光モジュール３との高低差を解消するために第一の支持部８１´の支持面に連なった傾斜面を有している。
【００８４】
第一の支持部８１´および第二の支持部８２´には、上述の実施形態１と同様に遮断壁８３が設けられており、支持面および傾斜面によって支持され配線されている光ファイバ６が風に曝されることを防ぐことができる。
【００８５】
更に本変形例２では、支持面および傾斜面によって支持され配線されている光ファイバ６を、当該支持面あるいは傾斜面に固定するための固定バンド９（固定部材）が、配線経路の途中の複数箇所に設けられている。固定バンド９は、着脱可能で、第一の支持部８１´または第二の支持部８２´と、光ファイバ６とを纏めて結束することによって、光ファイバ６が第一の支持部８１´の支持面あるいは第二の支持部８２´の傾斜面から浮き上がって冷却ファン７の風が当たる事態を回避することができる。固定バンド９の具体例として、結束バンドのような構成を採用することができる。なお、固定バンド９以外であっても、上述した効果を奏する部材であれば、その態様はバンドに限らない。
【００８６】
なお、図５の構成とした場合であっても、図２に示したカバー部２６は筐体２の上面部として配設する。
【００８７】
〔実施形態２〕
以下、本発明の他の実施形態について図６から図９を参照して説明する。なお、本実施形態では、前記実施形態１との相違点について説明するため、説明の便宜上、実施形態１で説明した部材と同一の機能を有する部材には同一の部材番号を付し、その説明を省略する。
【００８８】
図６は、本実施形態２の機器の上面図である。説明の便宜上、図６には筐体２のカバー部は図示していない。また、図７は、図６に示す切断線Ｃ−Ｃ´における機器１の矢視断面図である。なお、図７には、説明の便宜上、フロント部２２およびポート２２０を図示している。また、図８は、図６の一部分の背面斜視図である。また、図９は、図６の一部分の断面図である。
【００８９】
本実施形態２と上述の実施形態１との相違点は、光ファイバ配線部材８の構造と、風の整流をおこなう整流板１０の有無とにある。
【００９０】
具体的には、本実施形態２の機器１は、図６に示す状態において光ファイバ配線部材８´´の第一の支持部８１´´が筐体２全体に設けられている。すなわち、第一の支持部８１´´は、筐体２全体を上層と下層とに分離している。第一の支持部８１´´よりもカバー部側では、ポート２２０に接続された光ファイバ６が、接続先である光モジュール３の位置の近傍まで配線されている。一方、第一の支持部８１´´よりもボトム部２１側には、冷却ファン７と、光モジュール３と、電子部品４と、基板５とが配設されている。本実施形態２では、上述の実施形態１の遮断壁８３の機能を、第一の支持部８１´´自体が担っている。
【００９１】
また、本実施形態２でも、実施形態１と同様に、第一の支持部８１´´と光モジュール３との高低差を解消するために、第一の支持部８１´´に配線されている光ファイバ６を下ろす第二の支持部８２´が設けられている。
【００９２】
ここで図７および図８に示すように、本実施形態２では、第二の支持部８２´は、第一の支持部８１´´の領域内に設けた穴と連通する筒型の形状を有している。図７に示すように、筒型の第二の支持部８２´の内側の面は、実施形態１の第二の支持部８２と同様に曲面を有して構成されている。
【００９３】
更に本実施形態２の光ファイバ配線部材８には、第一の支持部８１´´における基板５と対向する側の面に、基板５側に向かって突出した整流板１０が設けられている。整流板１０は、冷却ファン７からの風を整流する。例えば、図８に示すように風の通路を規定しており、これは、冷却ファン７からの風を冷却対象物に集中させたい場合に有効である。
【００９４】
なお、筒型の第二の支持部８２´も、整流機能を有していると換言することができる。そこで、図９の（ａ）および（ｂ）に示すように、筒型の第二の支持部８２´の断面が流線形であるような形状の第二の支持部８２´を配設してもよい。図９の（ａ）および（ｂ）には、図中の矢印方向に冷却ファン７からの風が流れているものとする。
【００９５】
また、図６および図８に示す整流板１０の代替物として流線形を有する板を設けてもよい。
【００９６】
〔実施形態２の変形例〕
図１０は、本実施形態２の変形例を示す断面図である。
【００９７】
本変形例の特徴は、冷却ファン７の風によって冷却する対象物の上方において、光ファイバ配線部材８の第一の支持部８１´´が、当該対象物に向けて凸となるように湾曲させた構造となっている点にある。すなわち、第一の支持部８１´´における当該対象物に対向する対向領域が、当該対象物に向けて凸となるように湾曲させた構造となっている。
【００９８】
具体的には、図１０では、光ファイバ配線部材８の第一の支持部８１´´が、光モジュール３の上方において、図中に破線で囲んで示すように、光モジュール３に向かって凸となっている。
【００９９】
このように第一の支持部８１´´を冷却対象物に向けて凸とさせることにより、冷却ファン７の風の流速が当該冷却対象物の上方において早くなり、ベンチュリ効果をもたらして、当該冷却対象物の効率的な冷却を実現することができる。
【０１００】
本発明は上述した各実施形態および各変形例に限定されるものではなく、請求項に示した範囲で種々の変更が可能であり、異なる実施形態および変形例にそれぞれ開示された技術的手段を適宜組み合わせて得られる実施形態についても本発明の技術的範囲に含まれる。
【産業上の利用可能性】
【０１０１】
本発明は、筐体内に光ファイバを搭載したあらゆる機器に利用することができる。
【符号の説明】
【０１０２】
１  機器
２  筐体
３  光モジュール
４  電子部品
５  基板
６  光ファイバ
７  冷却ファン
８、８´  光ファイバ配線部材（支持部材）
９  固定バンド（固定部材）
１０  整流板
２１  ボトム部（底板）
２２  フロント部（側壁）
２２ａ  貫通孔
２３，２４，２５  サイド部
２６  カバー部
７０  導入口
８１、８１´、８１´´  第一の支持部
８１ａ、８１ａ´  集束領域
８１ｂ  ガイド部
８２、８２´  第二の支持部
８３  遮断壁
２２０  ポート
【図１】
2015064448.tif 000003
【図２】
2015064448.tif 000004
【図３】
2015064448.tif 000005
【図４】
2015064448.tif 000006
【図５】
2015064448.tif 000007
【図６】
2015064448.tif 000008
【図７】
2015064448.tif 000009
【図８】
2015064448.tif 000010
【図９】
2015064448.tif 000011
【図１０】
2015064448.tif 000012